【事件の表示】
　平成　５年特許願第２８９９１０号「パチンコ機の保護回路」拒絶査定不服審判事件〔平成　７年　５月　９日出願公開、特開平　７−１１６３０４〕について、次のとおり審決する。
【結　論】
　本件審判の請求は、成り立たない。
【理　由】
【１】本願の手続の経緯 
　本願は平成５年１０月２６日の出願であって、平成１４年４月３０日付けで拒絶理由が通知され、これに対し平成１４年６月７日付けで手続補正され、平成１４年７月２９日付けで拒絶査定がなされ、これに対し平成１４年９月５日に拒絶査定に対する審判請求がなされるとともに、１０月１日付けで手続補正がなされたものである。
　　　　
【２】補正後の本願発明
　平成１４年１０月１日付けの手続補正により、補正された特許請求の範囲の請求項１に係る発明（全請求項数は３）（以下、この発明を「本願発明」という。）は、特許明細書及び図面の記載からみて、その特許請求の範囲の請求項１に記載された次の事項により特定されるとおりのものである。
「【請求項１】パチンコ機に交流の電力を供給する電力供給源およびパチンコ機間に介装され、前記電力が供給される供給状態と該電力供給が停止される供給停止状態とのいずれかをとる供給・停止回路と、前記パチンコ機への供給電力の電圧値が予め定められた許容範囲から外れていない場合に前記供給・停止回路を前記供給状態に制御し、前記許容範囲から外れている場合及び前記電力が供給されていない場合には前記供給・停止回路を前記供給停止状態に制御する開閉回路と、前記電力供給源および接地間に介装され前記供給状態にある場合に前記供給・停止回路によって供給される電力が包含する静電ノイズを吸収し、該静電ノイズを接地に誘導するアブソーバ回路とからなることを特徴とするパチンコ機の保護回路。」
　　　　
【３】引用例に記載の発明
１．原査定の拒絶の理由に引用され、本願の出願日前に頒布された実願平３−１０６８９５号（実開平５−５３６８４号）のＣＤ−ＲＯＭ（以下、「引用例」という。）には、図面とともに、以下の技術事項が記載されている。
（ア）「【産業上の利用分野】本考案は、パチンコ機のプラグと屋内配線のコンセントとに介挿されるアダプタに関する。」（段落【０００１】）
（イ）「【実施例】 図１及び図３はこの考案に係るアダプタの一実施例を示し、図１は電気回路図、図３は使用状態を示す外観斜視図である。以下、これらの図面に基づき詳細に説明する。アダプタ１０は、電源のコンセント１２に差し込まれる刃１４ａ、１４ｂを有するアダプタプラグ１４と、パチンコ機９０のプラグ１６を差し込ませる刃受け１８ａ、１８ｂを有するジャック１８と、ジャック１８とアダプタプラグ１４との間に電気的に接続されるとともにアダプタプラグ１４に印加された交流電圧が略２４Ｖの場合にジャック１８へその交流電圧を印加する継電部２０とを備えたものである。アダプタ１０を技術的に限定して示せば、アダプタプラグ１４の刃１４ａ、１４ｂの間に電気的に接続されるとともにアダプタプラグ１４に印加された交流電圧が略１００Ｖのときに動作する継電器２２から継電部２０が構成され、アダプタプラグ１４の刃１４ａ、１４ｂの間に継電器２２の動作により開く接点２２ｂを介してジャック１８が電気的に接続されたものである。継電器２２は、交流１００Ｖ用の電磁リレーであり、交流２４Ｖでは動作しないものを使用している。接点２２ｂはブレーク接点である。」（段落【０００８】）
（ウ）「また、アダプタプラグ１４の刃１４ａ、１４ｂの間に電気的に接続されるとともにアダプタプラグ１４に印加された交流電圧が略１００Ｖの場合に動作する高電圧報知部としてのネオン管３０と、アダプタプラグ１４の刃１４ａ、１４ｂの間に電気的に接続されるとともにアダプタプラグ１４に印加された交流電圧が略２４Ｖのときに動作する正常電圧報知部としての発光ダイオード３２と、ジャック１８の刃受け１８ａ、１８ｂに電気的に接続されるとともにジャック１８に過電圧が印加されると動作する過電圧保護素子としてのバリスタ３４とを付設してもよい。ネオン管３０は、１００Ｖ用を使用しており、放電開始電圧が８０〜９０Ｖである。発光ダイオード３２には、電流制限用の抵抗器３６と逆方向電圧保護用の整流ダイオード３８とが直列に接続されている。バリスタ３４は、交流２４Ｖの最大値が約３４Ｖであるから、３４Ｖ以上で動作するものを使用している。」（段落【０００９】）
（エ）「次に、図１、図３及び図４に基づきアダプタ１０の作用を説明する。島台９２に設置されたパチンコ機９０の前枠４４を開けて、アダプタプラグ１４を電源のコンセント１２に差し込む。その電源が交流２４Ｖの場合は、継電器２２が動作せず接点２２ｂが閉じたままである。したがって、交流２４Ｖがジャック１８及び発光ダイオード３２へ印加され、発光ダイオード３２が点灯して正常電圧であることを表示する。そして、ジャック１８へパチンコ機９０のプラグ１６を差し込むとパチンコ機９０が動作する。また、電源が交流１００Ｖの場合は、ネオン管３０が点灯して高電圧であることを表示するとともに、継電器２２が動作して接点２２ｂが開く。したがって、交流１００Ｖはジャック１８へ印加されない。そして、ジャック１８へパチンコ機９０のプラグ１６を差し込んでも、パチンコ機９０には交流１００Ｖが印加されない。また、発光ダイオード３２及びジャック１８は、アダプタプラグ１４に交流１００Ｖが印加されてから接点２２ｂが開くまでの間に交流２４Ｖ以上の電圧が印加されても、バリスタ３４が動作することにより一定電圧以上にはならない。 」（段落【００１０】）
（オ）「 図２はこの考案に係るアダプタの他の実施例を示す電気回路図である。以下、この図面に基づき詳細に説明する。但し、図１と同一部分には同一符号を付し説明を省略する。アダプタ５０は、アダプタプラグ１０の刃１４ａ、１４ｂの間に接点２２ｂを介して電気的に接続されるとともにアダプタプラグ１０に印加された交流電圧が略２４Ｖのときに動作する継電器５２が備えられ、継電器５２の動作により閉じる接点５２ａが接点２２ｂとジャック１８との間に挿入されている。接点５２ａはメーク接点である。継電器５２は、継電器２２よりも遅く動作するもの、例えばタイムラグリレーを使用している。」（段落【００１１】）
（カ）「次に、アダプタ５０の作用を説明する。アダプタプラグ１４を電源のコンセント１２に差し込む。その電源が交流２４Ｖの場合は、継電器２２が動作せず接点２２ｂが閉じたままである。したがって、交流２４Ｖが継電器５２へ印加され接点５２ａが閉じる。すると、交流２４Ｖがジャック１８及び発光ダイオード３２へ印加され、発光ダイオード３２が点灯して正常電圧であることを表示する。また、電源が交流１００Ｖの場合は、ネオン管３０が点灯して高電圧であることを表示するとともに、継電器２２が先に動作して接点２２ｂが開くことにより交流１００Ｖは継電器５２へ印加されない。したがって、接点５２ａが開いたままであり、交流１００Ｖはジャック１８へ印加されない。アダプタ５０によれば、アダプタプラグ１４に交流１００Ｖが印加されてから接点２２ｂが開くまでの間に交流２４Ｖ以上の電圧が印加されても、接点５２ａが開いたままであるのでジャック１８へは何も印加されないという利点がある。」（段落【００１２】）
（キ）「これらの実施例では、継電器２２として電磁リレーを示したが、封入接点リレー、ソリッドステートリレー等であってもよい。また、継電部２０を複数個の継電器で構成してもよい。さらに、高電圧報知部又は正常電圧報知部は、ネオン管３０又は発光ダイオード３２に限定されるものではなく、タングステンランプ、ＥＬ素子、ブザー、スピーカ、アクチュエータ等であってもよい。さらにまた、過電圧保護素子は、バリスタ３４に限定されるものではなく、ガス入り放電管、ツェナーダイオード、双方向性二端子サイリスタ等であってもよい。」（段落【００１３】）
　　　　
　以上の（ア）乃至（キ）の記載事項及び図面から、「引用例」には、以下の発明（以下、「引用発明」という。）が記載されているものと認められる。
　　　　
＜引用発明＞
「アダプタ５０は、電源のコンセント１２に差し込まれるアダプタプラグ１４と、パチンコ機９０のプラグ１６を差し込ませるジャック１８と、ジャック１８とアダプタプラグ１４との間に電気的に接続される継電器２２と接点２２ｂ、継電器５２と接点５２ａを備え、電源が交流２４Ｖの場合は、継電器２２が動作せず接点２２ｂが閉じたままで、交流２４Ｖが継電器５２へ印加され接点５２ａが閉じ交流２４Ｖがジャック１８へ印加され、電源が交流１００Ｖの場合は、継電器２２が先に動作して接点２２ｂが開くことにより交流１００Ｖは継電器５２へ印加されず、接点５２ａが開いたままであり、交流１００Ｖはジャック１８へ印加されないアダプタ５０。」
　　　　
【４】対比
１．本願発明と引用発明との対比
　本願発明と引用発明とを対比すると、引用発明の「パチンコ機９０」が本願発明の「パチンコ機」に相当し、以下同様に、「電源」が「電力供給源」に相当しており、引用発明の「電源」は、本願発明と同様に「パチンコ機に交流の電力を供給する」ことは明らかである。
　また、引用例の上記記載事項（オ）「・・アダプタ５０は、アダプタプラグ１０の刃１４ａ、１４ｂの間に接点２２ｂを介して電気的に接続されるとともにアダプタプラグ１０に印加された交流電圧が略２４Ｖのときに動作する継電器５２が備えられ、継電器５２の動作により閉じる接点５２ａが接点２２ｂとジャック１８との間に挿入されている。接点５２ａはメーク接点である。継電器５２は、継電器２２よりも遅く動作するもの、例えばタイムラグリレーを使用している。」、同じく記載事項（カ）「・・電源が交流２４Ｖの場合は、継電器２２が動作せず接点２２ｂが閉じたままである。したがって、交流２４Ｖが継電器５２へ印加され接点５２ａが閉じる。・・また、電源が交流１００Ｖの場合は、・・継電器２２が先に動作して接点２２ｂが開くことにより交流１００Ｖは継電器５２へ印加されない。したがって、接点５２ａが開いたままであり、交流１００Ｖはジャック１８へ印加されない。」なる記載に基づけば、継電器５２及び接点５２ａにより、電力がパチンコ機に印加（供給）される供給状態と、電力が印加されない（停止される）供給停止状態のいずれかをとることから、引用発明の継電気５２及び接点５２ａは、本願発明と同様に「電力が供給される供給状態と該電力供給が停止される供給停止状態のいずれかをとる供給・停止回路」を構成するものといえる。
　そして、引用例の上記記載事項（エ）「電源が交流２４Ｖの場合は、継電器２２が動作せず接点２２ｂが閉じたままである。・・また、電源が交流１００Ｖの場合は、・・継電器２２が動作して接点２２ｂが開く。したがって、交流１００Ｖはジャック１８へ印加されない。・・また、・・ジャック１８は、アダプタプラグ１４に交流１００Ｖが印加されてから接点２２ｂが開くまでの間に交流２４Ｖ以上の電圧が印加されても、バリスタ３４が動作することにより一定電圧以上にはならない。」、同じく記載事項（カ）「電源が交流２４Ｖの場合は、継電器２２が動作せず接点２２ｂが閉じたままである。したがって、交流２４Ｖが継電器５２へ印加され接点５２ａが閉じる。・・電源が交流１００Ｖの場合は、・・継電器２２が先に動作して接点２２ｂが開くことにより交流１００Ｖは継電器５２へ印加されない。したがって、接点５２ａが開いたままであり、交流１００Ｖはジャック１８へ印加されない。・・アダプタプラグ１４に交流１００Ｖが印加されてから接点２２ｂが開くまでの間に交流２４Ｖ以上の電圧が印加されても、接点５２ａが開いたままであるのでジャック１８へは何も印加されないという利点がある。」なる記載に基づけば、継電器２２及び接点２２ｂにより、電源（電力供給源）の電圧が１００Ｖ以内（予め定められた許容範囲から外れていない）場合に、継電器５２及び接点５２ａ（供給停止回路）に電源から供給電力を供給し接点５２ａが閉じて供給状態に制御し、電圧が１００Ｖ（許容範囲から外れる）場合には継電器５２及び接点５２ａ（供給停止回路）に電源からの供給電力を供給せず接点５２ａは開いたままの供給停止状態に制御し、及び継電器５２及び接点５２ａ（供給停止回路）に電源から供給電力が供給されていない場合には、接点５２ａは開いたままの供給停止状態にあることから、引用発明の継電器２２及び接点２２ｂは、本願発明と同様に「パチンコ機への供給電力の電圧値が予め定められた許容範囲から外れていない場合に供給・停止回路を供給状態に制御し、許容範囲から外れている場合及び電力が供給されていない場合には供給・停止回路を供給停止状態に制御する開閉回路」を構成するものであり、引用発明の 継電器５２及び接点５２ａ（供給停止回路）及び継電器２２及び接点２２ｂ（開閉回路）は、本願発明と同様に「パチンコ機の保護回路」を構成し、且つ、これらが「電力供給源およびパチンコ機間に介装され」ていることも上記記載事項（ア）、（イ）、（オ）から明らかなことである。
　　　　　　　　　　　　
してみると、引用発明と本願発明とは
　　　　
「パチンコ機に交流の電力を供給する電力供給源およびパチンコ機間に介装され、前記電力が供給される供給状態と該電力供給が停止される供給停止状態とのいずれかをとる供給・停止回路と、前記パチンコ機への供給電力の電圧値が予め定められた許容範囲から外れていない場合に前記供給・停止回路を前記供給状態に制御し、前記許容範囲から外れている場合及び前記電力が供給されていない場合には前記供給・停止回路を前記供給停止状態に制御する開閉回路とからなるパチンコ機の保護回路。」
　　　　　
　である点で一致し、以下の点で相違する。
　　　　　
＜相違点＞
　保護回路に、本願発明は電力供給源および接地間に介装され、供給される電力が包含する静電ノイズを吸収するアブソーバ回路を備えるのに対し、引用発明は、上記アブソーバ回路を備えていない点。　　　　
　　　　
２．相違点についての検討
＜相違点について＞
　本願発明において、電力供給源および接地間に介装され、供給される電力が包含する静電ノイズを吸収するアブソーバ回路を設ける目的は、保護回路に供給された電力に静電ノイズが包含される場合でも、その静電ノイズをコンデンサ６，６によって吸収することにある。（段落【００４０】参照）
　ところで、電源回路において、供給される電源のノイズを防ぐためにコンデンサを電源供給源および接地間に介装する点は、従来周知の技術（例えば、特開平５−１９８４４４号公報、段落【０００７】、【図５】、特開平５−１９９７３７号公報、段落【００１２】、【図１】参照）であり、これら電気・電子機器の電源線に自然現象或いは機器から発生する各種の電気的ノイズを、コンデンサを用いて除去することは、電源回路に広く採用されている技術常識（例えば、実願昭５９−１１８４０３号（実開昭６１−３５４２６号）のマイクロフィルム（第２頁第１行〜第３頁第８行）参照）というべきである。　
　そして、引用発明と上記周知技術は、共に電源回路で電力を安定して供給する技術において共通するものであり、周知技術を付加・転用することに格別困難性はないから、引用発明の保護回路に、供給される電源のノイズを防ぐためにコンデンサを電源供給源および接地間に介装した上記周知技術を適用し、本願発明に係る相違点を構成とすることは、当業者であれば容易に想到し得たことである。
　　　
３．作用効果・判断
　そして、本願発明における作用効果は、引用発明及び周知技術に基づいて当業者が当然予測できるものである。
　したがって、本願発明は、引用発明及び周知技術に基づいて当業者が容易に発明をすることができたものであるから、特許法第２９条第２項の規定により特許を受けることができない。
　　　　　
【５】むすび
　以上のとおり、本願発明は、引用発明及び周知技術に基づいて、当業者が容易に発明をすることができたものであるから、特許法第２９条第２項の規定により特許を受けることができないものであり、本願の他の請求項について検討するまでもなく、本願は拒絶すべきものである。
　よって、結論のとおり審決する。